(57)【要約】【課題】常時、収納具から容易に取り出すことができ、また、すぐに使用できる状態にて保管できる収納ファイル提供する。【解決手段】第１表紙部２と第２表紙部３とを備える。また、これら第１表紙部２および第２表紙部３の間に背表紙部４を設ける。さらに、この背表紙部４に綴込部材５を設ける。背表紙部４の上端部の近傍に孔部８を形成する。この孔部８に通して引掛舌片10を設ける。この引掛舌片10は、孔部８に挿通して取り付ける取付部13およびこの取付部13の先端に位置する環状部12を有する。取付部13は、孔部８と背表紙部４の上端部との間の接触面に少なくとも一部が接触している。また、環状部12は、背表紙部４から突出しており、例えばフック等の引掛部材や指等を引っ掛けることができる。【選択図】図１
2009241391.tif 000002
【特許請求の範囲】
【請求項１】
第１表紙部と、
第２表紙部と、
これら第１表紙部および第２表紙部の間に設けられた背表紙部と、
この背表紙部に設けられた綴込手段とを具備し、
前記背表紙部には、この背表紙部の上端部の近傍に形成された孔部と、この孔部を挿通して取り付けられた取付部およびこの取付部の先端に形成された環状部を有する引掛舌片とが設けられ、
前記取付部は、前記孔部と前記背表紙部の上端部との間に少なくとも一部が接触している
ことを特徴とする収納ファイル。
【請求項２】
第１表紙部は、背表紙部に対向する端部に設けられた係合片を有し、
この係合片には、前記背表紙部に対向する端部から離間して形成されたヒンジ部と係合部材とが設けられ、
第２表紙部は、前記係合部材に係合可能な被係合部材が設けられている
ことを特徴とする請求項１記載の収納ファイル。
【請求項３】
第１表紙部には、係合部材として面ファスナのループ部材が設けられ、
第２表紙部には、被係合部材として面ファスナのフック部材が設けられている
ことを特徴とする請求項２記載の収納ファイル。
【発明の詳細な説明】
【技術分野】
【０００１】
本発明は、例えば収納ホルダや書類や小冊子等の被綴込部材を綴込み可能な収納ファイルに関する。
【背景技術】
【０００２】
従来、この種の収納ファイルは、綴込手段が設けられ、例えば収納ホルダや書類や小冊子等の被綴込物を前記綴込手段に綴じ込んで整理して収納できる。
【０００３】
そして、このような収納ファイルとしては、ファイル本体の背部に掴み代としての舌片が外側に突出して形成されたものが知られている。この収納ファイルは、前記背部に前記舌片が設けられているで、前記収納ファイルが棚やデスク等に収納具に他のファイル等と収納された状態であっても、前記舌片を掴んで引っ張ることにより容易に取り出すことができ、また、前記背部に指を掛けて引き出すことによる前記背部の損傷や変形等を防止できる（例えば、特許文献１参照。）。
【特許文献１】実開平５−１６３７４号公報（第２−５頁、図１）
【発明の開示】
【発明が解決しようとする課題】
【０００４】
しかしながら、上述した特許文献１の構成の収納ファイルでは、この収納ファイルを例えば机等において被綴込物を閲覧する際に、舌片が邪魔にならないよう、この舌片が布や紐等の柔軟な素材にて形成される。そして、前記収納ファイルが収納具に収納されて、前記背部が上側に位置する場合や前記背表紙部が鉛直な場合では、柔軟な素材にて形成された前記舌片は自重によって垂れ下り易く、前記背表紙部に密着した状態になり易い。したがって、掴み易い状態を保持できず、前記舌片が掴み難くなってしまい、前記収納ファイルを収納具から容易に取り出すことができない問題が考えられる。また、前記収納ファイルは、例えば他のファイル体等とともに前記収納具に収納されることが想定され、前記収納ファイルに例えば使用頻度の高い被綴込物や緊急時に使用する被綴込物等を綴じ込んだ場合であっても、使用する際には、他のファイル等と判別してから取り出す必要があり、すぐに使用できる状態にて保管できない問題が考えられる。
【０００５】
本発明はこのような点に鑑みなされたもので、常時、収納具から容易に取り出すことができ、また、すぐに使用できる状態にて保管できる収納ファイル提供する。
【課題を解決するための手段】
【０００６】
請求項１に記載された収納ファイルは、第１表紙部と、第２表紙部と、これら第１表紙部および第２表紙部の間に設けられた背表紙部と、この背表紙部に設けられた綴込手段とを具備し、前記背表紙部には、この背表紙部の上端部の近傍に形成された孔部と、この孔部を挿通して取り付けられた取付部およびこの取付部の先端に形成された環状部を有する引掛舌片とが設けられ、前記取付部は、前記孔部と前記背表紙部の上端部との間に少なくとも一部が接触しているものである。
【０００７】
請求項２に記載された収納ファイルは、請求項１に記載された収納ファイルにおいて、第１表紙部は、背表紙部に対向する端部に設けられた係合片を有し、この係合片には、前記背表紙部に対向する端部から離間して形成されたヒンジ部と係合部材とが設けられ、第２表紙部は、前記係合部材に係合可能な被係合部材が設けられているものである。
【０００８】
請求項３に記載された収納ファイルは、請求項２に記載された収納ファイルにおいて、第１表紙部には、係合部材として面ファスナのループ部材が設けられ、第２表紙部には、被係合部材として面ファスナのフック部材が設けられているものである。
【発明の効果】
【０００９】
請求項１に記載された発明によれば、取付部は、孔部と背表紙部の上端部との間に少なくとも一部が接触しているので、前記引掛舌片を引っ張り易い状態に保持でき、常時、収納具から容易に取り出すことができる。
【００１０】
また、引掛舌片に環状部が形成されていることにより、この環状部を例えばフック等の引掛部材に引っ掛けることができるので、収納ファイルをすぐに使用できる状態にて保管できる。
【００１１】
さらに、引掛舌片は、前記背表紙部の上端部の近傍に形成された孔部に前記取付部を挿通して取り付けられているので、前記引掛舌片を引っ掛けて前記収納ファイルを保管する際に、前記背表紙部の上端部を確実に上側に位置させて保管できる。
【００１２】
請求項２に記載された発明によれば、第１表紙部に係合部材が設けられ、第２表紙部に被係合部材が設けられているので、前記第１表紙部と前記第２表紙部とが対向した状態を保持できる。
【００１３】
請求項３に記載された発明によれば、係合部材として面ファスナのループ部材が設けられ、被係合部材として面ファスナのフック部材が設けられているので、簡単な構成で第１表紙部と第２表紙部とを係合できる。
【発明を実施するための最良の形態】
【００１４】
以下、本発明の第１の実施の形態の構成について図１または図２を参照しながら詳細に説明する。
【００１５】
図１に示されるように、収納ファイル１は、第１表紙部２と、第２表紙部３と、これら第１表紙部２および第２表紙部３の間に設けられた背表紙部４とを備えている。
【００１６】
これら第１表紙部２および第２表紙部３は、略矩形状に形成され、背表紙部４にて折曲可能である。したがって、収納ファイル１は、背表紙部４を中心に第１表紙部２および第２表紙部３を展開した展開状態と、第１表紙部２および第２表紙部３を背表紙部４にて折曲して第１表紙部２と第２表紙部３とが対向した折曲状態との間で自在に変化できる。
【００１７】
背表紙部４は、略矩形状に形成され、この背表紙部４には、綴込手段としての綴込部材５が設けられている。この綴込部材５は、背表紙部４の長手方向に沿って複数設けられた固定部材６と、これらの固定部材６にて固定可能なスティック部材７とから形成され、固定部材６に図示しない例えば収納ホルダや書類等の被綴込物の綴込孔を挿入して、スティック部材７を固定部材６に固定することにより被綴込物を綴じる。
【００１８】
また、背表紙部４の長手方向の端部である上端部の近傍には、孔部８が形成されている。この孔部８は、矩形状に形成され、上側に位置する辺が背表紙部４の上端部と略平行である。
【００１９】
さらに、背表紙部４の上端部には、背表紙部４に対して回動可能な引掛舌片10が、孔部８を挿通し背表紙部４から突出して設けられている。この引掛舌片10は、幅方向の長さが孔部８の上側に位置する辺の長さと同等である。また、収納ファイル１を例えばデスク等に置いた状態で展開状態にして被綴込物を閲覧する際には、引掛舌片10が机等に接触するため、引掛舌片10は、例えば布や合成樹脂等の柔軟性を有する素材にて形成されることが好ましい。
【００２０】
図２に示されるように、引掛舌片10は、一端部10aから孔部８に挿通して、この一端部10aを他端部10bに重ねた状態にて、例えば縫着や溶着、接着剤等により接合され接合部11が形成される。また、この接合部11が形成されることにより、フック等の引掛部材や指等を引っ掛ける環状部12と背表紙部４に取り付けられる取付部13とが形成される。そして、この取付部13は、孔部８と背表紙部４の上端部との間の接触面14に少なくとも一部が接触している。
【００２１】
ここで、第１表紙部２の背表紙部４に対向する端部には、この端部から突出した略矩形状の係合片15が設けられている。この係合片15には、ヒンジ部16と係合部材としての面ファスナのループ部材17とが設けられている。ヒンジ部16は、第１表紙部２の背表紙部４に対向する端部から離間して形成され、このヒンジ部16にて係合片15が第１表紙部２側へ折曲される。
【００２２】
さらに、第２表紙部３の背表紙部４に対向する端部には、円弧状の切り欠き18が形成されている。また、収納ファイル１が閉塞状態の際に第１表紙部２のループ部材17と対向する位置には、このループ部材17と係合可能な被係合部材としての面ファスナのフック部材19が設けられている。
【００２３】
収納ファイル１の折曲状態では、係合片15は、ヒンジ部16にて折曲され第１表紙部２と第２表紙部３との間に位置する。そして、第１表紙部２および第２表紙部３の内側でループ部材17とフック部材19とが係合する。ここで、ヒンジ部16が第１表紙部２の背表紙部４に対向する端部から離間して形成されているので、ループ部材17とフック部材19とを係合した状態では、係合片15が第１表紙部２および第２表紙部３の端部から突出する。
【００２４】
なお、上記一実施の形態では、綴込手段として固定部材６とスティック部材７とから形成された綴込部材５が設けられた構成としたが、このような構成には限定されず、綴込手段は、被綴込物を綴じ込むことができる構成のものであればよい。
【００２５】
また、孔部８が略矩形状に形成された構成としたが、このような構成には限定されず、孔部８は、引掛舌片10が通ればよく、例えば円形状や三角形状や切込み線等にて適宜設定できる。
【００２６】
さらに、引掛舌片10は、幅方向の長さが孔部８の上側に位置する辺の長さと同等に形成された構成としたが、引掛舌片10の幅方向の長さは、想定される強度や外観等に応じて適宜設定できる。
【００２７】
また、引掛舌片10の色や形状は自由に設定でき、この引掛舌片10の色や形状により、複数の収納ファイル１の判別し易いようにしてもよい。
【００２８】
第１表紙部２および第２表紙部３は、略矩形状に形成された構成としたが、このような構成には限定されず、第１表紙部２および第２表紙部３の形状は、適宜設定できる。
【００２９】
また、第１表紙部２に、係合部材としてのループ部材17を設け、第２表紙部３に被係合部材としてのフック部材19を設ける構成とすることにより、ループ部材17とフック部材19とを係合させて収納ファイル１の折曲状態を保持できるので好ましいが、このような構成には限定されず、係合部材および被係合部材を設けない構成としてもよい。
【００３０】
ここで、係合部材および被係合部材を設ける構成であっても、面ファスナのループ部材17とフック部材19とを設ける構成には限定されず、係合により収納ファイル１の折曲状態を保持できる構成であればよい。
【００３１】
また、第１表紙部２に係合片15およびループ部材17を設け、第２表紙部３にフック部材19を設ける構成には限定されず、第１表紙部２にフック部材19を設け、第２表紙部３に係合片15およびループ部材17を設ける構成などでもよい。
【００３２】
さらに、係合片15は、略矩形状に形成された構成には限定されず、係合片15の形状は、例えば半円状や三角形状等にて適宜設定できる。また、係合片15を設けず、第１表紙部２にループ部材17を設ける構成であってもよい。
【００３３】
次に、上記一実施の形態の作用を説明する。
【００３４】
例えば棚やデスク等の収納具に他のファイル等とともに収納された状態の収納ファイル１の取り出しに際しては、まず、所望の被綴込部材が収納された収納ファイル１を収納具に収納されたものの中から判別する。
【００３５】
そして、その収納ファイル１の引掛舌片10の環状部12に指を引っ掛け、そのまま引っ張るように収納ファイル１を取り出す。
【００３６】
この際、背表紙部４に引掛舌片10が設けられているので、容易に取り出すことができる。
【００３７】
さらに、引掛舌片10の取付部13は、孔部８と背表紙部４の上端部との間の接触面14に少なくとも一部が接触しているので、取付部13と接触面14との摩擦により、背表紙部４に対して引掛舌片10が自重にて遊動し難い。したがって、収納ファイル１が収納具に収納された状態で引掛舌片10が遊動せず、引掛舌片10を引っ張り易い状態に保持できるので、常時、収納具から容易に取り出すことができる。
【００３８】
また、引掛舌片10に環状部12が設けられていることにより、この環状部12を例えばフック等の引掛部材に引っ掛けて収納ファイル１を保管できる。すなわち、例えば、使用頻度の高い被綴込物や緊急時に使用する被綴込物等が綴じ込まれた収納ファイル１を他のファイル等とは別個に使用場所付近等に保管でき、すぐに使用できる状態にて保管できる。
【００３９】
引掛舌片10が、背表紙部４の上端部の近傍に形成された孔部８を通して設けられているので、引掛舌片10を例えばフック等の引掛部材に引っ掛けて収納ファイル１を保管した際に、背表紙部４の上端部を確実に上側に位置させて保管できる。したがって、例えば収納ファイル１に例えば収納ホルダを綴じ込み、この収納ホルダのポケット部に書類や小冊子等の被収納物を収納する場合、ポケット部の開口方向が上方のままであるので被収納物が脱落しない。また、引掛部材に環状部12を引っ掛けたまま収納ファイル１を展開して被綴込物を閲覧できるので、操作性が良好である。
【００４０】
さらに、略矩形状に形成された孔部８の上側に位置する辺が背表紙部４の上端部と略平行であり、引掛舌片10の幅方向の長さが孔部８の上側に位置する辺の長さと同等であることにより、取付部13と接触面14との間に摩擦が生じ易く、また、引掛舌片10の形状が安定し易いので、引掛舌片10をより確実に引っ張り易い状態に保持できる。
【００４１】
第１表紙部２にループ部材17が設けられ、第２表紙部３にフック部材19が設けられているので、ループ部材17とフック部材19との係合により、第１表紙部２と第２表紙部３とが対向した折曲状態を保持できる。したがって、例えば引掛舌片10を引掛部材に引っ掛けて収納ファイル１を保管する際等に第１表紙部２および第２表紙部３が勝手に展開することがない。
【００４２】
また、第１表紙部２に係合片15が設けられ、第１表紙部２の背表紙部４に対向する端部から離間してヒンジ部16が形成されているので、収納ファイル１の折曲状態にて係合片15をヒンジ部16で折曲させると、第１表紙部２および第２表紙部３の端部から係合片15が突出する。したがって、ループ部材17とフック部材19との係合を解除する際に、係合片15および係合箇所が判別し易く、係合を解除し易い。
【００４３】
第１表紙部２には、係合部材として面ファスナのループ部材17を設け、被係合部材として面ファスナのフック部材19を設けているので、簡単な構成で第１表紙部２と第２表紙部３とを係合可能に形成できる。
【図面の簡単な説明】
【００４４】
【図１】本発明の収納ファイルにおける一実施の形態を示す平面図である。
【図２】同上収納ファイルにおける背表紙部の断面図である。
【符号の説明】
【００４５】
１    収納ファイル
２    第１表紙部
３    第２表紙部
４    背表紙部
５    綴込手段としての綴込部材
８    孔部
10    引掛舌片
12    環状部
13    取付部
15    係合片
16    ヒンジ部
17    係合部材としてのループ部材
19    被係合部材としてのフック部材
【図１】
2009241391.tif 000003
【図２】
2009241391.tif 000004